(57)【要約】【課題】狭額縁化が可能な表示装置を提供する。【解決手段】表示パネルと、表示パネルの表示面側に配置されるカバーパネルと、表示パネルの背面側に配置される収容体と、カバーパネルと収容体とを接続する接続部材と、を備える。接続部材は、カバーパネルと表示パネルとの間に配置されて、カバーパネルに取り付けられる第１部位と、収容体の内側に取り付けられる第２部位と、を有する。例えば、表示パネルは、画像を表示する表示領域と、表示領域の周辺に位置する周辺領域と、を有し、接続部材は、カバーパネルと周辺領域との間に配置される。【選択図】図３
2019020444.tif 000002
【特許請求の範囲】
【請求項１】
表示パネルと、
前記表示パネルの表示面側に配置されるカバーパネルと、
前記表示パネルの背面側に配置される収容体と、
前記カバーパネルと前記収容体とを接続する接続部材と、を備え、
前記接続部材は、
前記カバーパネルと前記表示パネルとの間に配置されて、前記カバーパネルに取り付けられる第１部位と、
前記収容体の内側に取り付けられる第２部位と、を有する表示装置。
【請求項２】
前記収容体は、
底部と、
前記底部の周縁から前記表示パネル側に向かって起立した壁部と、
前記壁部に沿って前記底部に設けられた溝部と、を有し、
前記第２部位は前記溝部に配置される、請求項１に記載の表示装置。
【請求項３】
前記接続部材は、前記第１部位と前記第２部位との間に位置する第３部位を有し、
前記第３部位は前記壁部に沿って配置される、請求項２に記載の表示装置。
【請求項４】
前記接続部材は前記表示パネルを囲む、請求項１乃至請求項３のいずれか１項に記載の表示装置。
【請求項５】
前記表示パネルは、
画像を表示する表示領域と、
前記表示領域の周辺に位置する周辺領域と、
を有し、
前記接続部材は、前記カバーパネルと前記周辺領域との間に配置される、請求項１乃至請求項４のいずれか１項に記載の表示装置。
【請求項６】
前記カバーパネルは、
平面を有する主部と、
前記主部の外周側に位置し、曲面を有する外周部と、を備え、
前記外周部は前記収容体に近づく方向に湾曲しており、
前記表示パネルは前記外周部に沿って湾曲している、請求項１乃至請求項５のいずれか１項に記載の表示装置。
【請求項７】
前記第１部位は前記外周部に沿って湾曲している、請求項６に記載の表示装置。
【請求項８】
前記表示パネルの背面側に配置される光学シートと、
前記表示パネルの背面側に配置され、前記周辺領域に取り付けられる支持部材と、をさらに備え、
前記支持部材は、前記光学シートを前記表示パネル側に支持する請求項６又は請求項７に記載の表示装置。
【請求項９】
前記支持部材は、
前記周辺領域と対向する第１面を有し、
前記第１面は、前記カバーパネルの外周部に沿って湾曲している、請求項８に記載の表示装置。
【請求項１０】
前記支持部材は、
前記第１面の反対側に位置する第２面、をさらに有し、
前記第２面は、前記カバーパネルの外周部に沿って湾曲している、請求項９に記載の表示装置。
【請求項１１】
前記支持部材は枠体であり、
前記第１面と前記第２面との間に位置し、前記枠体の内側を向く第３面、をさらに有し、
前記第３面は、前記支持部材の厚さ方向に平行である、 請求項１０に記載の表示装置。
【請求項１２】
表示パネルと、
前記表示パネルの表示面側に配置されるカバーパネルと、
前記表示パネルの背面側に配置される収容体と、
前記カバーパネルと前記収容体の内側とを接続する接続部材と、を備え、
前記カバーパネルは、
平面を有する主部と、
前記主部の外周側に位置し、曲面を有する外周部と、を備え、
前記外周部は前記収容体に近づく方向に湾曲しており、
前記表示パネルは前記外周部に沿って湾曲している、表示装置。
【発明の詳細な説明】
【技術分野】
【０００１】
本開示は、表示装置に関する。
【背景技術】
【０００２】
表示装置には、表示パネルの背面側に配置されたバックライト装置からの光を利用して、表示パネルに画像を表示する透過型の液晶表示装置がある（例えば、特許文献１参照）。
【先行技術文献】
【特許文献】
【０００３】
【特許文献１】米国特許出願公開第２０１５／０２４１７３１号明細書
【発明の概要】
【発明が解決しようとする課題】
【０００４】
表示装置では、表示領域の外周に位置する額縁領域を狭くする、いわゆる狭額縁化が望まれている。
【０００５】
本発明は、上記に鑑みてなされたものであり、狭額縁化が可能な表示装置を提供することを目的とする。
【課題を解決するための手段】
【０００６】
本発明の一態様に係る表示装置は、表示パネルと、前記表示パネルの表示面側に配置されるカバーパネルと、前記表示パネルの背面側に配置される収容体と、前記カバーパネルと前記収容体とを接続する接続部材と、を備え、前記表示パネルは、画像を表示する表示領域と、前記表示領域の周辺に位置する周辺領域と、を有し、前記接続部材は、前記カバーパネルと前記周辺領域との間に配置されて、前記カバーパネルに取り付けられる第１部位と、前記収容体の内側に取り付けられる第２部位と、を有する。
【０００７】
本発明の別の態様に係る表示装置は、表示パネルと、前記表示パネルの表示面側に配置されるカバーパネルと、前記表示パネルの背面側に配置される収容体と、前記カバーパネルの外周部と前記収容体の内側とを接続する接続部材と、を備え、前記外周部は前記収容体に近づく方向に湾曲しており、前記表示パネルは、前記外周部に沿って湾曲している。
【図面の簡単な説明】
【０００８】
【図１Ａ】図１Ａは、実施形態１に係る表示装置の構成例を示す平面図である。
【図１Ｂ】図１Ｂは、実施形態１に係る表示装置の構成例を示す右側面図である。
【図１Ｃ】図１Ｃは、実施形態１に係る表示装置の構成例を示す下側面図である。
【図２】図２は、実施形態１に係る表示装置の構成例を示す断面図である。
【図３】図３は、実施形態１に係る表示装置の構成例を示す断面図である。
【図４】図４は、実施形態１に係る表示装置の構成例を示す断面図である。
【図５】図５は、実施形態１に係る表示装置の構成例を示す断面図である。
【図６】図６は、実施形態１に係る表示装置の構成例を示す断面図である。
【図７】図７は、実施形態１に係る接続部材の構成例を示す平面図である。
【図８】図８は、実施形態１に係る接続部材の右側縁部を示す断面図である。
【図９】図９は、実施形態１に係る接続部材の下側縁部を示す断面図である。
【図１０】図１０は、実施形態１に係る支持部材の構成例を示す平面図である。
【図１１】図１１は、実施形態１に係る接続部材の右側縁部を示す断面図である。
【図１２】図１２は、実施形態１に係る接続部材の下側縁部を示す断面図である。
【図１３】図１３は、実施形態１に係る表示装置の組み立て方法を工程順に示すフローチャートである。
【図１４】図１４は、実施形態１に係る表示装置の組み立て方法を工程順に示す断面図である。
【図１５】図１５は、実施形態１に係る表示装置の組み立て方法を工程順に示す断面図である。
【図１６】図１６は、実施形態１に係る表示装置の組み立て方法を工程順に示す断面図である。
【図１７】図１７は、実施形態１に係る表示装置の組み立て方法を工程順に示す断面図である。
【図１８】図１８は、実施形態１に係る表示装置の組み立て方法を工程順に示す断面図である。
【図１９】図１９は、実施形態１の変形例１に係る表示装置の構成例を示す右側面図である。
【図２０】図２０は、実施形態１の変形例１に係る表示装置の構成例を示す下側面図である。
【図２１】図２１は、実施形態１の変形例２に係る表示装置の構成例を示す右側面図である。
【図２２】図２２は、実施形態１の変形例２に係る表示装置の構成例を示す下側面図である。
【図２３】図２３は、実施形態１の変形例３に係る表示装置の構成例を示す下側面図である。
【図２４】図２４は、実施形態１の変形例４に係る表示装置の構成例を示す右側面図である。
【図２５Ａ】図２５Ａは、実施形態２に係る表示装置の構成例を示す平面図である。
【図２５Ｂ】図２５Ｂは、実施形態２に係る表示装置の構成例を示す右側面図である。
【図２５Ｃ】図２５Ｃは、実施形態２に係る表示装置の構成例を示す下側面図である。
【図２６】図２６は、実施形態２に係る表示装置の構成例を示す断面図である。
【発明を実施するための形態】
【０００９】
本発明を実施するための形態（実施形態）につき、図面を参照しつつ詳細に説明する。なお、以下の実施形態に記載した内容により本発明が限定されるものではない。また、以下に記載した構成要素には、当業者が容易に想定できるもの、実質的に同一のものが含まれる。さらに、以下に記載した構成要素は適宜組み合わせることが可能である。また、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１０】
（実施形態１）
図１Ａから図１Ｃは、実施形態１に係る表示装置の構成例を示す平面図、右側面図、下側面図である。また、図２から図６は、実施形態１に係る表示装置の構成例を示す断面図である。具体的には、図１Ｂは、表示装置１００の右側縁部１００ＲＥを示している。図１Ｃは、表示装置１００の下側縁部１００ＢＥを示している。また、図２は、表示装置１００の右側縁部１００ＲＥをＸ１−Ｘ２線（図１Ａ参照）で切断した断面を示している。図３は、図２の破線で囲む部位ＰＰを拡大して示している。図４は、表示装置１００の左側縁部１００ＬＥをＸ３−Ｘ４線（図１Ａ参照）で切断した断面を示している。図５は、表示装置１００の上側縁部１００ＵＥをＹ１−Ｙ２線（図１Ａ参照）で切断した断面を拡大して示している。図６は、表示装置１００の下側縁部１００ＢＥをＹ３−Ｙ４線（図１Ａ参照）で切断した断面を拡大して示している。
【００１１】
なお、本明細書では、表示装置の各構成部に関して、表示パネルが画像を表示する側の面を前面といい、画像を表示する側の反対側の面を背面という。表示パネルの前面は、表示面という。本明細書では、図１における左右方向をＸ軸方向で示し、図１における上下方向をＹ軸方向で示し、図１のＸ−Ｙ平面に垂直な方向をＺ軸方向で示す。Ｚ軸方向は、表示装置１００の厚さ方向である。図２における上下方向が表示装置１００の厚さ方向であり、Ｚ軸方向である。
【００１２】
図１Ａから図６に示すように、本実施形態１の表示装置１００は、表示パネル１と、カバーパネル２と、収容体３と、接続部材４と、光学シート５と、導光板６と、支持部材７と、反射シート８と、接着層９と、光源ユニット６５とを有する。表示装置１００は、例えば透過型の液晶表示装置である。表示装置１００は、画像を表示する表示領域ＤＡと、表示領域ＤＡの外周に位置する額縁領域ＦＡとを有する。表示領域ＤＡは、表示パネル１の表示領域１ｄａ及びカバーパネル２の透光領域２ｄａの両方と平面視で重なる。本明細書において、平面視とは、Ｚ軸方向から見ることを意味する。また、額縁領域ＦＡは、表示パネル１の周辺領域１ｆａ及びカバーパネル２の遮光領域２ｆａの少なくとも一方と平面視で重なる。
【００１３】
表示パネル１は、画像を表示する表示領域１ｄａと、表示領域１ｄａの周辺に位置する周辺領域１ｆａとを有する。周辺領域１ｆａは、例えば、表示領域１ｄａを囲んでいる。表示パネル１は、導光板６から出射した光を表示パネル１の背面１ｂ側から表示面１ａ側へ選択的に透過することで、表示領域１ｄａに画像を表示する。周辺領域１ｆａでは、導光板６から出射した光は遮光される。例えば、導光板６から出射した光は、周辺領域１ｆａに配置されたシール材１４によって遮光される。あるいは、シール材１４と重なる領域に、シール材１４とは別に遮光材を設けてもよい。表示パネル１の平面視による形状（以下、平面形状）は、例えば矩形である。
【００１４】
表示パネル１は、第１基板１１と、第２基板１２と、液晶層１３と、シール材１４と、第１基板１１に接続された駆動制御ＦＰＣ（Ｆｌｅｘｉｂｌｅ  Ｐｒｉｎｔｅｄ  Ｃｉｒｃｕｉｔｓ：フレキシブルプリント基板）１７と、を有する。
【００１５】
第１基板１１及び第２基板１２は、液晶層１３を挟持する一対の基板である。例えば、第１基板１１は、平面形状が矩形の平板である。第１基板１１は、第１偏光板と、第１偏光板の前面側に配置されたＴＦＴ（Ｔｈｉｎ  Ｆｉｌｍ  Ｔｒａｎｓｉｓｔｏｒ：薄膜トランジスタ）基板とを有する。第２基板１２は、平面形状が矩形の平板である。第２基板１２は、画素に対応して赤色（Ｒ），緑色（Ｇ），青色（Ｂ）のカラーフィルタと、カラーフィルタの前面側に配置された第２偏光板とを有する。 
【００１６】
液晶層１３は、表示領域１ｄａに設けられており、第１基板１１と第２基板１２との間に配置されている。液晶層１３は、図示しない共通電極と画素電極との間で電圧が印加されることにより、液晶層１３に入射する光を副画素ごとに透過又は遮断する。また、画素電極の電圧レベルが変えられることにより、液晶層１３における光透過レベルが副画素ごとに調整される。なお、表示パネル１の表示モードが横電界モードの場合、共通電極及び画素電極は、例えば第１基板１１に設けられている。また、表示パネル１の表示モードが縦電界モードの場合、画素電極は第１基板１１に設けられており、共通電極は第２基板１２に設けられている。
【００１７】
シール材１４は、周辺領域１ｆａにおいて、第１基板１１と第２基板１２との間に配置されている。シール材１４は、液晶層１３を囲んでおり、第１基板１１と第２基板１２との間から液晶層１３が漏れ出ることを防いでいる。シール材１４は例えば黒色であり、遮光性を有する。あるいは、シール材１４と重なる領域に、シール材１４とは別に遮光材を設けてもよい。
【００１８】
駆動制御ＦＰＣ１７は、周辺領域１ｆａにおいて、第１基板１１に取り付けられている。駆動制御ＦＰＣ１７は、例えば、図示しないＡＣＦ（Ａｎｉｓｏｔｒｏｐｉｃ  Ｃｏｎｄｕｃｔｉｖｅ  Ｆｉｌｍ：異方性導電フィルム）を介して第１基板１１に取り付けられており、第１基板１１の外側へ延出している。駆動制御ＦＰＣ１７には、表示パネル１を駆動するドライバＩＣ（図示せず）や、電子部品（図示せず）等が搭載されている。駆動制御ＦＰＣ１７は、表示パネル１を駆動させるための信号を第１基板１１に供給する。駆動制御ＦＰＣ１７から供給される信号によって、表示パネル１は、導光板６からの光を表示領域１ｄａに選択的に透過させて、画像を表示する。
【００１９】
カバーパネル２は、表示パネル１の表示面１ａ側に配置されている。カバーパネル２は、表示パネル１の表示面１ａを覆って保護する。カバーパネル２の平面形状は、例えば矩形である。平面視で、カバーパネル２は表示パネル１よりも大きく、カバーパネル２の縁部は表示パネル１の縁部よりも表示装置１００の外周側に位置する。カバーパネル２は、Ｘ−Ｙ平面に平行な平面を有する主部２１と、主部２１の外周側に位置する外周部２２とを有する。主部２１の前面２ａ及び背面２ｂはそれぞれ、Ｘ−Ｙ平面に平行な平面である。表示装置１００の右側縁部１００ＲＥ及び左側縁部１００ＬＥでは、外周部２２は曲面を有し、外周部２２は収容体３に近づく方向に湾曲している。右側縁部１００ＲＥ及び左側縁部１００ＬＥにおいて、外周部２２の前面２ａ及び背面２ｂはそれぞれ、曲面である。上側縁部１００ＵＥ及び下側縁部１００ＢＥでは、外周部２２は、主部２１と同様に、Ｘ−Ｙ平面に平行な平面を有する。上側縁部１００ＵＥ及び下側縁部１００ＢＥでは、外周部２２に曲面はなく、外周部２２は湾曲していない。
【００２０】
カバーパネル２は、透光領域２ｄａと、透光領域２ｄａの外周側に位置する遮光領域２ｆａとを有する。例えば、主部２１は、透光領域２ｄａのみを有する。外周部２２は、透光領域２ｄａと遮光領域２ｆａとを有する。遮光領域２ｆａの背面２ｂ側には、遮光部材２５が配置されている。カバーパネル２の材料として、例えばガラス又は樹脂である。
【００２１】
接着層９は、表示パネル１とカバーパネル２との間に配置されており、表示パネル１とカバーパネル２とを接着している。接着層９は、透光性が高く、かつ接着性（粘着性）を有する部材である。接着層９は、例えば、光学粘着フィルム（ＯＣＡ：Ｏｐｔｉｃａｌ  Ｃｌｅａｒ  Ａｄｈｅｓｉｖｅ）、又は、液状のＵＶ硬化型樹脂である光学透明樹脂（ＯＣＲ：Ｏｐｔｉｃａｌ  Ｃｌｅａｒ  Ｒｅｓｉｎ）である。
【００２２】
光学シート５は、表示パネル１の背面側１ｂに配置されている。光学シート５は、透過性の光学部材であり、導光板６の出射面から出射された光の光学特性を調整する。光学シート５は、例えば、第１拡散板５１と、第１拡散板５１上に配置された第１プリズムシート５２と、第１プリズムシート５２上に配置された 第２プリズムシート５３と、第２プリズムシート５３上に配置された第２拡散板５４と、を有する。第１拡散板５１及び第２拡散板５４は、背面側から入射してきた光を内部で拡散させて、前面側から出射する光の明るさを均一化させる。第１プリズムシート５２及び第２プリズムシート５３は、背面側から入射してきた光の指向性を制御して、前面側に出射する光の明るさを向上させる。
【００２３】
導光板６は、光学シート５の背面側に配置されている。導光板６は、入射面から入射してきた光を内部で拡散させ、拡散させた光を出射面から出射する。導光板６における光の入射面は、例えば、表示装置１００の下側縁部１００ＢＥに位置する導光板６の側面である。導光板６における光の出射面は、導光板６の前面である。導光板６の前面から出射した光は、光学シート５に入射する。導光板６の平面形状は矩形である。光源ユニット６５は、表示装置１００の下側縁部１００ＢＥに配置されている。光源ユニット６５には、例えば光源制御ＦＰＣ６７が接続されている。光源ユニット６５は、図示しないバッテリから光源制御ＦＰＣ６７を介して電力の供給を受ける。これにより、光源ユニット６５は、導光板６の入射面に向けて光を照射する。
【００２４】
反射シート８は、導光板６の背面側に配置されている。反射シート８は、導光板６の背面側から漏れ出た光を反射して、導光板６に入射させる。反射シート８は、反射機能のほかに、光を拡散させる機能、光を散乱させる機能などを有していてもよい。反射シート８が導光板６の背面側に配置されていることにより、表示装置１００は、光源ユニット６５から導光板６に入射した光を効率的に利用することができ、導光板６から出射する光の輝度を向上させることができる。反射シート８は、例えば、ＥＳＲ（Ｅｎｈａｎｃｅｄ  Ｓｐｅｃｕｌａｒ  Ｒｅｆｌｅｃｔｏｒ）シートである。また、反射シート８は、銀蒸着フィルム、多層膜反射フィルム、白色ＰＥＴなどでもよい。反射シート８は、両面テープ７６を介して、支持部材７に取り付けられている。
【００２５】
収容体３は、表示パネル１の背面１ｂ側に配置される。収容体３は、表示パネル１の背面１ｂ側を覆っている。また、収容体３は、図示しないバッテリや電子部品、基板等を収容する。収容体３は、例えば、底部３１と、底部３１の周縁から表示パネル１側に向かって起立した壁部３２と、壁部３２に沿って底部３１に設けられた溝部３５とを有する。収容体３は、例えば金属（板金）の外枠及び当該外枠内部に樹脂のモールドを有する構成である。
【００２６】
接続部材４は、カバーパネル２の外周部２２と収容体３の内側とを接続する。接続部材４は、第１部位４１と、第１部位４１の反対側に位置する第２部位４２と、第１部位４１と第２部位４２との間に位置する第３部位４３と、を有する。第１部位４１は、表示パネル１の周辺領域１ｆａとカバーパネル２の外周部２２との間に配置されている。第１部位４１は、遮光部材２５及び接着剤２６を介して、外周部２２の背面２ｂに固定されている。第２部位４２は、収容体３の溝部３５に配置されており、接着剤３６を介して溝部３５の側面及び底面に固定されている。第３部位４３は、収容体３の壁部３２に沿って配置されている。これにより、接続部材４は、カバーパネル２を収容体３に固定している。接続部材４は、例えば金属（板金）で構成されている。
【００２７】
図７は、実施形態１に係る接続部材の構成例を示す平面図である。図８は、接続部材の右側縁部を示す断面図である。図８は、図７に示す右側縁部４ＲＥをＸ５−Ｘ６線で切断した断面を示している。図９は、接続部材の下側縁部を示す断面図である。図９は、図７に示す下側縁部４ＢＥをＹ５−Ｙ６線で切断した断面を示している。
【００２８】
支持部材は、光学シートを表示パネル１側に支持する。図７に示すように、接続部材４は枠体である。接続部材４は、右側縁部４ＲＥと、左側縁部４ＬＥと、上側縁部４ＵＥと、下側縁部４ＢＥとを有する。接続部材４の右側縁部４ＲＥは、表示装置１００の右側縁部１００ＲＥ（図１Ａ参照）に配置されている。接続部材４の左側縁部４ＬＥは、表示装置１００の左側縁部１００ＬＥ（図１Ａ参照）に配置されている。接続部材４の上側縁部４ＵＥは、表示装置１００の上側縁部１００ＵＥ（図１Ａ参照）に配置されている。接続部材４の下側縁部４ＢＥは、表示装置１００の下側縁部１００ＢＥ（図１Ａ参照）に配置されている。右側縁部４ＲＥ、左側縁部４ＬＥ、上側縁部４ＵＥ及び下側縁部４ＢＥで構成される枠体の内側４５に、表示パネル１（図１Ａ参照）が配置されている。接続部材４は、表示パネル１を囲んでいる。
【００２９】
図８に示すように、 右側縁部４ＲＥにおいて、第１部位４１は、カバーパネル２の外周部２２（図３参照）に沿って湾曲している。例えば、第１部位４１の第１面４１ａ及び第２面４１ｂは、第１部位４１と対向している外周部２２の背面２ｂに沿ってそれぞれ湾曲している。これにより、第１部位４１は、カバーパネル２に対する接着面積を広く確保することができ、カバーパネル２に対する接合強度を高めることができる。なお、左側縁部４ＬＥ（図７参照）の形状は、右側縁部４ＲＥをＹ−Ｚ平面を境界に反転させた形である。左側縁部４ＬＥの大きさは、右側縁部４ＲＥの大きさと同じである。
【００３０】
図９に示すように、下側縁部４ＢＥでは、第１部位４１は湾曲しておらず、Ｘ−Ｙ平面に平行である。なお、上側縁部４ＵＥの形状は、下側縁部４ＢＥをＸ−Ｚ平面を境界に反転させた形である。上側縁部４ＵＥ（図７参照）の大きさは、下側縁部４ＢＥの大きさと同じである。
【００３１】
図８及び図９に示す例では、接続部材４の厚さｔは均一である。具体的には、第１部位４１、第２部位４２及び第３部位４３において、厚さｔは互いに同じ値である。また、右側縁部４ＲＥ、左側縁部４ＬＥ、下側縁部４ＢＥ、上側縁部４ＵＥにおいても、厚さｔは互いに同じ値である。ただし、接続部材４の厚さは、第１部位４１、第２部位４２及び第３部位４３で異なっていてもよい。例えば、第３部位４３の厚さを第１部位４１及び第２部位４２より厚くしてもよい。第３部位４３の厚さを厚くした場合は、強度を向上させることが可能である。
【００３２】
図２から図６に示したように、支持部材７は、表示パネル１の背面１ｂ側に配置されている。支持部材７は、接着剤１６を介して、表示パネル１の周辺領域１ｆａに取り付けられている。支持部材７は、例えばプラスチック（合成樹脂）で構成されている。接着剤１６は、例えばＲＴＶ（Ｒｏｏｍ  Ｔｅｍｐｅｒａｔｕｒｅ  Ｖｕｌｃａｎｉｚｉｎｇ：室温硬化型）樹脂である。
【００３３】
図１０は、実施形態１に係る支持部材の構成例を示す平面図である。図１１は、実施形態１に係る支持部材の右側縁部を示す断面図である。図１１は、図１０に示す右側縁部７ＲＥをＸ７−Ｘ８線で切断した断面を示している。図１２は、実施形態１に係る支持部材の下側縁部を示す断面図である。図１２は、図１０に示す下側縁部７ＢＥをＹ７−Ｙ８線で切断した断面を示している。
【００３４】
図１０に示すように、支持部材７は枠体である。支持部材７は、右側縁部７ＲＥと、左側縁部７ＬＥと、上側縁部７ＵＥと、下側縁部７ＢＥとを有する。支持部材７の右側縁部７ＲＥは、表示装置１００の右側縁部１００ＲＥ（図１Ａ参照）に配置されている。支持部材７の左側縁部７ＬＥは、表示装置１００の左側縁部１００ＬＥ（図１Ａ参照）に配置されている。支持部材７の上側縁部７ＵＥは、表示装置１００の上側縁部１００ＵＥ（図１Ａ参照に）に配置されている。支持部材７の下側縁部７ＢＥは、表示装置１００の下側縁部１００ＢＥ（図１Ａ参照）に配置されている。右側縁部７ＲＥ、左側縁部７ＬＥ、上側縁部７ＵＥ及び下側縁部７ＢＥで構成される枠体の内側７５に、表示パネル１（図１Ａ参照）が配置されている。
【００３５】
図１１及び図１２に示すように、支持部材７は、カバーパネル２の外周部２２の背面２ｂ（図３参照）と向かい合う第１面７ａと、第１面７ａの反対側に位置する第２面７ｂとを有する。また、支持部材７は、第１面７ａと第２面７ｂとの間に位置し、支持部材７の内側７５を向く第３面７ｃを有する。図１１に示すように、右側縁部７ＲＥにおいて、第３面７ｃは、第１面７ａ及び第２面７ｂに対してそれぞれ傾斜している。例えば、第１面７ａ及び第２面７ｂは、Ｚ軸方向と交差する平面である。第３面７ｃは、支持部材７の厚さ方向に平行な平面である。支持部材７の厚さ方向は、例えばＺ軸方向である。
【００３６】
また、右側縁部７ＲＥの第１面７ａは、右側縁部７ＲＥと対向する外周部２２に沿って湾曲している。表示パネル１はカバーパネル２の外周部２２（図３参照）に沿って湾曲している。このため、右側縁部７ＲＥは、表示パネル１に対する接着面積を広く確保することができ、表示パネル１に対する接合強度を高めることができる。また、右側縁部７ＲＥの第２面７ｂも、右側縁部７ＲＥと対向する外周部２２に沿って湾曲している。これにより、反射シート８（図３参照）をカバーパネル２に沿って湾曲させた状態で、反射シート８を第２面７ｂに固定することが可能である。また、右側縁部７ＲＥは、光学シート５（図３参照）を表示パネル１側に掛け止める掛止部７１を有する。これにより、表示パネル１の背面に接着剤を塗布して光学シート５を取り付ける必要はない。なお、左側縁部４ＬＥ（図１０参照）の形状は、右側縁部４ＲＥをＹ−Ｚ平面を境界に反転させた形である。左側縁部４ＬＥの大きさは、右側縁部４ＲＥの大きさと同じである。
【００３７】
図１２に示すように、下側縁部７ＢＥの第３面７ｃは、第１面７ａ及び第２面７ｂにそれぞれ直交している。下側縁部７ＢＥの第３面７ｃは、Ｘ−Ｚ平面に平行である。下側縁部７ＢＥと同様、上側縁部７ＵＥの第３面７ｃも、第１面７ａ及び第２面７ｂにそれぞれ直交しており、Ｘ−Ｚ平面に平行である（図５参照）。
【００３８】
また、下側縁部７ＢＥは、第２面７ｂに溝部７２を有する。溝部７２は、支持部材７の内側７５と外側との間を通すように設けられている。溝部７２には、光源ユニット６５に接続する光源制御ＦＰＣ６７（図６参照）が通されている。なお、上側縁部７ＵＥには、溝部７２が設けられていてもよいし、設けられていなくてもよい。
【００３９】
図１３は、実施形態１に係る表示装置の組み立て方法を工程順に示すフローチャートである。図１４から図１８は、実施形態１に係る表示装置の組み立て方法を工程順に示す断面図である。図１３のステップＳＴ１では、カバーパネル２に接続部材４が取り付けられる。例えば図１４に示すように、カバーパネル２は、前面２ａを下側に向け、背面２ｂを上側に向けた状態で、製造装置（図示せず）に設置される。製造装置は、カバーパネル２の外周部２２の背面２ｂに接着剤２６を塗布する。接着剤２６が塗布される領域は、遮光部材２５と平面視で重なる位置である。接着剤２６は、例えば、約１５０°の高温で溶融するホットメルト接着剤である。次に、製造装置は、接続部材４の第１部位４１の第１面４１ａを、塗布された接着剤２６に接触させる。接着剤２６が硬化すると、接続部材４の第１部位４１は、外周部２２に固定される。
【００４０】
図１３のステップＳＴ２では、カバーパネル２に表示パネル１が取り付けられる。例えば図１４に示すように、製造装置は、カバーパネル２の背面２ｂに接着層９を貼付する。接着層９が貼付される領域は、接続部材４の内側４５（図７参照）である。接着層９は、例えば、ＯＣＡ又はＯＣＲである。次に、製造装置は、表示パネル１の表示面１ａを接着層９に接触させる。接着層９が硬化すると、表示パネル１はカバーパネル２に固定される。
【００４１】
図１３のステップＳＴ３では、カバーパネル２に支持部材７が取り付けられる。例えば図１５に示すように、製造装置は、表示パネル１の周辺領域１ｆａ（図３参照）から接続部材４にかけて、接着剤１６を塗布する。接着剤１６は、例えばＲＴＶである。次に、製造装置は、支持部材７の第１面７ａを、塗布された接着剤１６に接触させる。接着剤１６が硬化すると、支持部材７の第１面７ａとその周辺部は、表示パネル１と接続部材４とに固定される。
【００４２】
図１３のステップＳＴ４では、支持部材７の内側７５に光学シート５が配置される。例えば図１６に示すように、製造装置は、光学シート５を撓ませながら、光学シート５の右側縁部５ＲＥ及び左側縁部（図示せず）を掛止部７１と表示パネル１との間の隙間７ＡＧにそれぞれ挿し込む。支持部材７の第３面７ｃは、第１面７ａ及び第２面７ｂに対してそれぞれ傾斜しており、例えばＺ軸方向に平行である。このため、光学シート５の右側縁部５ＲＥ及び左側縁部は第３面７ｃにそれぞれガイドされて、表示パネル１側にそれぞれ移動することができる。光学シート５の右側縁部５ＲＥ及び左側縁部が表示パネル１側に移動すると、右側縁部５ＲＥ及び左側縁部は上隙間７ＡＧにそれぞれ入り込み、光学シート５の撓みが解消される。これにより、光学シート５は、掛止部７１によって表示パネル１側に掛け止められる。 
【００４３】
図１３のステップＳＴ５では、光学シート５の背面側に導光板６が取り付けられる。例えば、図１７に示すように、製造装置は、支持部材７の内側７５に導光板６を配置する。なお、導光板６に接着剤が付着すると、接着剤が透光性を有する場合でも導光板６の導光性能が低下する可能性がある。このため、導光板６は、光学シート５に貼り付けされないことが好ましい。
【００４４】
図１３のステップＳＴ６では、導光板６の背面６ｂ側に反射シート８が取り付けられる。例えば、図１８に示すように、製造装置は、支持部材７の第２面７ｂに両面テープ７６を添付する。そして、製造装置は、反射シート８の右側縁部８ＲＥと、図示しない左側縁部、上側縁部及び下側縁部を両面テープ７６にそれぞれ接触させる。これにより、反射シート８は導光板６の背面６ｂ側に取り付けられる。また、取り付けられた反射シート８と光学シート５により、導光板６が挟まれて固定される。
【００４５】
図１３のステップＳＴ７では、カバーパネル２が収容体３に固定される。例えば、製造装置は、接続部材４の第３部位４３を、収容体３の溝部３５（図３参照）に挿し込む。第３部位４３は、接着剤３６（図３参照）を介して、溝部３５の側面及び底面に接着される。これにより、カバーパネル２は収容体３に固定される。
【００４６】
以上説明したように、実施形態１に係る表示装置１００によれば、接続部材４の第１部位４１は、表示パネル１の周辺領域１ｆａと平面視で重なる位置に取り付けられている。これによれば、カバーパネル２と収容体３とを接着する接着剤の塗布領域を表示パネル１の側方に確保する必要がなく、表示パネル１の側面と収容体３との距離を短くすることができる。これにより、カバーパネル２の遮光領域２ｆａを狭くすることができるので、遮光領域２ｆａと平面視で重なる額縁領域ＦＡを狭くすることができる。これにより、表示装置１００の狭額縁化が可能である。
【００４７】
また、表示装置１００の右側縁部１００ＲＥ及び左側縁部１００ＬＥにおいて、カバーパネル２の外周部２２は収容体３に近づく方向に湾曲している。表示パネル１は、カバーパネル２の外周部２２に沿って湾曲している。これによれば、表示装置１００の右側縁部１００ＲＥ及び左側縁部１００ＬＥにおいて、カバーパネル２の遮光領域２ｆａを平面視で目立たなくすることができる。これにより、表示装置１００のさらなる狭額縁化が可能である。
【００４８】
また、接続部材４の第１部位４１は、表示パネル１の背面１ｂではなく、カバーパネル２の背面２ｂに接着剤２６を介して取り付けられている。これによれば、カバーパネル２と収容体３とを引き離す方向に力が加えられた場合でも、接続部材４は表示パネル１の背面１ｂを引っ張ることはない。これにより、表示パネル１を構成する各層の間（例えば、第１基板１１と第２基板１２との間）が剥がれてしまうことを防ぐことができる。
【００４９】
また、接続部材４は枠体であり、枠体の内側４５に表示パネル１が配置されている。これによれば、カバーパネル２と収容体３との間の隙間ＡＧから水分が侵入した場合でも、水分は接続部材４で遮られる。隙間ＡＧから侵入した水分が接続部材４の内側４５にある表示パネル１と接触することが防止される。これにより、表示パネル１を構成する第１偏光板及び第２偏光板が、水分が原因で劣化することを防ぐことができる。
【００５０】
（実施形態１の変形例） 
（変形例１）
上記の実施形態１では、右側縁部１００ＲＥ及び左側縁部１００ＬＥにおいて、カバーパネル２の外周部２２がそれぞれ収容体３に近づく方向に湾曲している場合について説明した（図１Ｃ参照）。しかしながら、実施形態１では、右側縁部１００ＲＥ及び左側縁部１００ＬＥだけでなく、下側縁部４ＢＥ及び上側縁部４ＵＥにおいても、カバーパネル２の外周部２２が収容体３に近づく方向に湾曲していてもよい。つまり、表示装置１００の全周において、外周部２２は収容体３に近づく方向に湾曲していてもよい。図１９は、実施形態１の変形例１に係る表示装置の構成例を示す右側面図である。図２０は、実施形態１の変形例１に係る表示装置の構成例を示す下側面図である。図１９及び図２０に示す変形例１では、右側縁部１００ＲＥ、左側縁部１００ＬＥ、下側縁部４ＢＥ及び上側縁部４ＵＥの全てにおいて、外周部２２は収容体３に近づく方向に湾曲している。これにより、右側縁部１００ＲＥ、左側縁部１００ＬＥ、下側縁部４ＢＥ及び上側縁部４ＵＥの全てにおいて、カバーパネル２の遮光領域２ｆａ（図３、図５及び図６参照）を平面視で目立たなくすることができる。
【００５１】
（変形例２）
また、実施形態１では、表示装置１００の長辺側の縁部（例えば、右側縁部１００ＲＥ及び左側縁部１００ＬＥ）ではなく、短辺側の縁部（下側縁部４ＢＥ及び上側縁部４ＵＥ）において、外周部２２がそれぞれ収容体３に近づく方向に湾曲していてもよい。図２１は、実施形態１の変形例２に係る表示装置の構成例を示す右側面図である。図２２は、実施形態１の変形例１に係る表示装置の構成例を示す下側面図である。図２１及び図２２に示す変形例２では、下側縁部４ＢＥ及び上側縁部４ＵＥにおいて、外周部２２は収容体３に近づく方向に湾曲している。また、右側縁部１００ＲＥ及び左側縁部１００ＬＥでは、外周部２２は湾曲していない。右側縁部１００ＲＥ及び左側縁部１００ＬＥでは、外周部２２は、Ｘ−Ｙ平面に平行な平板となっている。これにより、短辺側の縁部である下側縁部４ＢＥ及び上側縁部４ＵＥにおいて、カバーパネル２の遮光領域２ｆａ（図５及び図６参照）を平面視で目立たなくすることができる。
【００５２】
あるいは、表示装置１００の縁部について、短辺と長辺とが入れ替わっていてもよい。例えば、図１Ａにおいて、表示装置１００はＹ方向よりもＸ方向に長い、横長の表示装置であってもよい。右側縁部１００ＲＥ及び左側縁部１００ＬＥが表示装置１００の短辺側の縁部となり、下側縁部４ＢＥ及び上側縁部４ＵＥが表示装置１００の長辺側の縁部となる。この場合は、短辺側の縁部である右側縁部１００ＲＥ及び左側縁部１００ＬＥにおいて、カバーパネル２の遮光領域２ｆａ（図２参照）を平面視で目立たなくすることができる。
【００５３】
（変形例３）
また、上記の実施形態１又は、実施形態１の変形例１では、右側縁部１００ＲＥ及び左側縁部１００ＬＥにおいて、カバーパネル２の外周部２２がそれぞれ収容体３に近づく方向に湾曲している場合について説明した（図１Ｃ、図２０参照）。しかしながら、実施形態１では、右側縁部１００ＲＥ及び左側縁部１００ＬＥのうち、一方の外周部２２のみが収容体３に近づく方向に湾曲していてもよい。図２３は、実施形態１の変形例３に係る表示装置の構成例を示す下側面図である。図２３に示す変形例３では、左側縁部１００ＬＥの外周部２２のみが、収容体３に近づく方向に湾曲している。右側縁部１００ＲＥの外周部２２は湾曲しておらず、Ｘ−Ｙ平面に平行な平板となっている。このような場合であっても、左側縁部１００ＬＥにおいて、遮光領域を平面視で目立たなくすることができるので、表示装置１００の狭額縁化が可能である。
【００５４】
（変形例４）
また、上記の実施形態１の変形例１又は２では、下側縁部４ＢＥ及び上側縁部４ＵＥにおいて、カバーパネル２の外周部２２がそれぞれ収容体３に近づく方向に湾曲している場合について説明した（図１９、図２１参照）。しかしながら、実施形態１では、下側縁部４ＢＥ及び上側縁部４ＵＥのうち、一方の外周部２２のみが収容体３に近づく方向に湾曲していてもよい。図２４は、実施形態１の変形例４に係る表示装置の構成例を示す下側面図である。図２４に示す変形例４では、上側縁部４ＵＥの外周部２２のみが、収容体３に近づく方向に湾曲している。下側縁部４ＢＥの外周部２２は湾曲しておらず、Ｘ−Ｙ平面に平行な平板となっている。このような場合であっても、上側縁部４ＵＥにおいて、遮光領域を平面視で目立たなくすることができるので、表示装置１００の狭額縁化が可能である。
【００５５】
（変形例５）
上記の実施形態１では、接続部材４が枠体であり、右側縁部４ＲＥ、左側縁部４ＬＥ、下側縁部４ＢＥ及び上側縁部４ＵＥを有する場合について説明した。しかしながら、実施形態１において、接続部材４は枠体でなくてもよい。例えば、表示装置１００の左側縁部１００ＲＥ及び右側縁部１００ＬＥが、下側縁部１００ＢＥ及び上側縁部１００ＵＥよりも長い場合、接続部材４は下側縁部１００ＢＥ及び右側縁部１００ＬＥのみを有していてもよい。接続部材４は、表示装置１００の右側縁部１００ＲＥ及び左側縁部１００ＬＥに配置され、下側縁部１００ＢＥ及び上側縁部１００ＵＥには配置されていなくてもよい。このような場合であっても、第１部位４１は表示パネル１の周辺領域１ｆａと平面視で重なる位置に取り付けられる。このため、右側縁部１００ＲＥ及び左側縁部１００ＬＥの狭額縁化が可能である。また、表示装置１００の下側縁部１００ＢＥ及び上側縁部１００ＵＥには、スピーカや撮像装置等の周辺機器が配置されていてもよい。この場合、下側縁部１００ＢＥ及び上側縁部１００ＵＥでは、周辺機器を介してカバーパネル２と収容体３とが接続されていてもよい。
【００５６】
（実施形態２）
実施形態１では、カバーパネル２の外周部２２の少なくとも一部が湾曲している場合について説明した。実施形態２では、カバーパネルの外周部が湾曲しておらず、主部から外周部まで平板状である場合について説明する。図２５Ａから図２５Ｃは、実施形態２に係る表示装置の構成例を示す平面図、右側面図、下側面図である。また、図２６は、実施形態２に係る表示装置の構成例を示す断面図である。具体的には、図２５Ｂは、表示装置２００の右側縁部２００ＲＥを示している。図２５Ｃは、表示装置２００の下側縁部２００ＢＥを示している。また、図２６は、表示装置２００の右側縁部２００ＲＥをＸ９−Ｘ１０線（図２５Ａ参照）で切断した断面を拡大して示している。
【００５７】
図２５Ａから図２６に示すように、実施形態２の表示装置２００は、表示パネル１と、カバーパネル１０２と、収容体１０３と、接続部材１０４と、光学シート５と、導光板６と、反射シート８と、接着層９と、光源ユニットとを有する。実施形態１で説明した表示装置１００と同様、表示装置２００も、例えば透過型の液晶表示装置である。表示装置２００は、画像を表示する表示領域ＤＡと、表示領域ＤＡの外周に位置する額縁領域ＦＡとを有する。
【００５８】
カバーパネル１０２は、表示パネル１の表示面１ａ側に配置されている。カバーパネル１０２の平面形状は、例えば矩形である。平面視で、カバーパネル１０２は表示パネル１よりも大きく、カバーパネル１０２の縁部は表示パネル１の縁部よりも表示装置２００の外周側に位置する。カバーパネル１０２は、Ｘ−Ｙ平面に平行な主部１２１と、主部１２１の外周側に位置する外周部１２２とを有する。カバーパネル１０２では、外周部１２２は湾曲していない。カバーパネル１０２は、主部１２１から外周部１２２までＸ−Ｙ平面に平行な平板である。カバーパネル１０２は、ガラス又は樹脂製である。
【００５９】
収容体１０３は、例えば、底部１３１と、底部１３１の周縁から表示パネル１側に向かって起立した壁部１３２と、壁部１３２に沿って底部１３１に設けられた溝部１３５とを有する。収容体１０３として、例えば樹脂の枠体、あるいは、金属（板金）の外枠及び当該外枠内部に樹脂のモールドを有する構成である。
【００６０】
接続部材１０４は、カバーパネル１０２の外周部１２２と収容体１０３の内側とを接続する。接続部材１０４は、第１部位１４１と、第１部位１４１の反対側に位置する第２部位１４２と、第１部位１４１と第２部位１４２との間に位置する第３部位１４３と、を有する。第１部位１４１は、表示パネル１の周辺領域１ｆａとカバーパネル１０２の外周部１２２との間に配置されている。第１部位１４１は、遮光部材２５及び接着剤２６を介して、外周部１２２の背面１０２ｂに固定されている。第２部位１４２は、収容体１０３の溝部１３５に配置されており、接着剤３６を介して溝部１３５の側面及び底面に固定されている。第３部位１４３は、収容体１０３の壁部１３２に沿って配置されている。これにより、接続部材１０４は、カバーパネル１０２を収容体１０３に固定している。接続部材１０４は、例えば金属（板金）で構成されている。
【００６１】
接続部材１０４は、例えば枠体である。接続部材１０４は、右側縁部１０４ＲＥと、図示しない左側縁部、上側縁部及び下側縁部を有する。接続部材１０４の右側縁部１０４ＲＥは、表示装置２００の右側縁部２００ＲＥに配置されている。接続部材１０４の左側縁部は、表示装置２００の左側縁部２００ＬＥに配置されている。接続部材１０４の上側縁部は、表示装置２００の上側縁部２００ＵＥに配置されている。接続部材１０４の下側縁部は、表示装置２００の下側縁部２００ＢＥに配置されている。右側縁部１０４ＲＥ、左側縁部、上側縁部及び下側縁部で構成される枠体の内側に、表示パネル１が配置されている。
【００６２】
接続部材１０４の右側縁部１０４ＲＥ、左側縁部、上側縁部及び下側縁部において、第１部位１４１は湾曲しておらず、Ｘ−Ｙ平面に平行である。また、接続部材１０４の右側縁部１０４ＲＥ、左側縁部、上側縁部及び下側縁部において、第２部位１４２及び第３部位１４３は湾曲しておらず、収容体１０３の壁部１３２に平行である。例えば、接続部材１０４の左側縁部の形状は、図２６に示す右側縁部１０４ＲＥをＹ−Ｚ平面を境界に反転させた形である。接続部材１０４の左側縁部の大きさは、右側縁部１０４ＲＥの大きさと同じである。接続部材１０４の上側縁部は、図５に示した接続部材４の上側縁部４ＵＥと同じ形状で同じ大きさである。接続部材１０４の下側縁部は、図６に示した接続部材４の下側縁部４ＢＥと同じ形状で同じ大きさである。また、接続部材１０４の厚さは均一である。接続部材１０４の厚さは、図８に示した接続部材４の厚さｔと同じ値である。
【００６３】
実施形態２の表示装置２００によれば、接続部材１０４の第１部位１４１は、表示パネル１の周辺領域１ｆａと平面視で重なる位置に取り付けられている。これによれば、カバーパネル１０２と収容体１０３とを接着する接着剤の塗布領域を表示パネル１の側方に確保する必要がなく、表示パネル１の側面と収容体１０３との距離を短くすることができる。これにより、カバーパネル１０２の遮光領域２ｆａを狭くすることができるので、遮光領域２ｆａと平面視で重なる額縁領域ＦＡを狭くすることができる。これにより、表示装置２００の狭額縁化が可能である。
【００６４】
なお、実施形態２においても、実施形態１の変形例が適用可能である。接続部材１０４は枠体ではなく、下側縁部２００ＢＥ及び右側縁部２００ＬＥのみを有していてもよい。接続部材１０４は、表示装置２００の右側縁部２００ＲＥ及び左側縁部２００ＬＥに配置され、下側縁部２００ＢＥ及び上側縁部２００ＵＥには配置されていなくてもよい。このような場合であっても、第１部位１４１は表示パネル１の周辺領域１ｆａと平面視で重なる位置に取り付けられる。このため、右側縁部２００ＲＥ及び左側縁部２００ＬＥの狭額縁化が可能である。また、下側縁部２００ＢＥ及び上側縁部２００ＵＥでは、周辺機器を介してカバーパネル１０２と収容体１０３とが接続されていてもよい。
【００６５】
以上、本発明の好適な実施形態とその変形例を説明したが、本発明はこのような実施形態及び変形例に限定されるものではない。実施形態及び変形例で開示された内容はあくまで一例にすぎず、本発明の趣旨を逸脱しない範囲で種々の変更が可能である。例えば、実施形態１、２では、表示装置１００、２００としてカラー表示可能な透過型液晶表示装置を示したが、本発明はカラー表示対応の透過型液晶表示装置に限定されず、モノクロ表示対応の透過型液晶表示装置であってもよい。また、本発明は液晶表示装置に限定されず、有機エレクトロルミネッセンス表示装置であってもよい。本発明の趣旨を逸脱しない範囲で行われた適宜の変更についても、当然に本発明の技術的範囲に属する。
【００６６】
例えば、本態様の表示装置は、以下の態様をとることができる。
（１）表示パネルと、
前記表示パネルの表示面側に配置されるカバーパネルと、
前記表示パネルの背面側に配置される収容体と、
前記カバーパネルと前記収容体とを接続する接続部材と、を備え、
前記接続部材は、
前記カバーパネルと前記表示パネルとの間に配置されて、前記カバーパネルに取り付けられる第１部位と、
前記収容体の内側に取り付けられる第２部位と、を有する表示装置。
（２）前記収容体は、底部と、前記底部の周縁から前記表示パネル側に向かって起立した壁部と、前記壁部に沿って前記底部に設けられた溝部と、を有し、前記第２部位は前記溝部に配置される、上記（１）に記載の表示装置。
（３）前記接続部材は、前記第１部位と前記第２部位との間に位置する第３部位を有し、
前記第３部位は前記壁部に沿って配置される、上記（２）に記載の表示装置。
（４）前記接続部材は前記表示パネルを囲む、上記（１）乃至上記（３）のいずれか１項に記載の表示装置。
（５）前記表示パネルは、画像を表示する表示領域と、
前記表示領域の周辺に位置する周辺領域と、を有し、
前記接続部材は、前記カバーパネルと前記周辺領域との間に配置される、上記（１）乃至上記（４）のいずれか１項に記載の表示装置。
（６）前記カバーパネルは、
平面を有する主部と、
前記主部の外周側に位置し、曲面を有する外周部と、を備え、
前記外周部は前記収容体に近づく方向に湾曲しており、
前記表示パネルは前記外周部に沿って湾曲している、上記（１）乃至上記（５）のいずれか１項に記載の表示装置。
（７）前記第１部位は前記外周部に沿って湾曲している、上記（６）に記載の表示装置。
（８）前記表示パネルの背面側に配置される光学シートと、
前記表示パネルの背面側に配置され、前記周辺領域に取り付けられる支持部材と、をさらに備え、
前記支持部材は、前記光学シートを前記表示パネル側に支持する上記（６）又は上記（７）に記載の表示装置。
（９）前記支持部材は、前記周辺領域と対向する第１面を有し、前記第１面は、前記カバーパネルの外周部に沿って湾曲している、上記（８）に記載の表示装置。
（１０）前記支持部材は、
前記第１面の反対側に位置する第２面、をさらに有し、
前記第２面は、前記カバーパネルの外周部に沿って湾曲している、上記（９）に記載の表示装置。
（１１）前記支持部材は枠体であり、
前記第１面と前記第２面との間に位置し、前記枠体の内側を向く第３面、をさらに有し、
前記第３面は、前記第２面から前記第１面に向かって前記枠体の内径が小さくなるように、前記第１面及び前記第２面に対してそれぞれ傾斜している、上記（１０）に記載の表示装置。
（１２）表示パネルと、
前記表示パネルの表示面側に配置されるカバーパネルと、
前記表示パネルの背面側に配置される収容体と、
前記カバーパネルと前記収容体の内側とを接続する接続部材と、を備え、
前記カバーパネルは、
平面を有する主部と、
前記主部の外周側に位置し、曲面を有する外周部と、を備え、
前記外周部は前記収容体に近づく方向に湾曲しており、
前記表示パネルは前記外周部に沿って湾曲している、表示装置。
【００６７】
例えば、本態様の表示装置の製造方法は、以下の態様をとることができる。 
（１３）表示パネルの表示面側にカバーパネルを配置する工程と、
前記表示パネルの背面側に収容体を配置する工程と、
前記カバーパネルと前記収容体とを接続部材で接続する接続工程と、を備え、
前記接続工程は、
前記接続部材の第１部位を前記カバーパネルと前記表示パネルとの間に配置して、前記第１部位を前記カバーパネルに取り付ける工程と、
前記接続部材の第２部位を前記収容体の内側に取り付ける工程と、を有する表示装置の製造方法。
（１４）前記収容体は、底部と、前記底部の周縁から前記表示パネル側に向かって起立した壁部と、前記壁部に沿って前記底部に設けられた溝部と、を有し、
前記接続工程では、前記第２部位を前記溝部に配置する、上記（１３）に記載の表示装置の製造方法。
（１５）前記接続部材は、前記第１部位と前記第２部位との間に位置する第３部位を有し、前記接続工程では、前記第３部位を前記壁部に沿って配置する、上記（１４）に記載の表示装置の製造方法。
（１６）前記接続工程では、前記接続部材で前記表示パネルを囲む、上記（１３）乃至上記（１５）のいずれか１項に記載の表示装置の製造方法。
（１７）前記表示パネルは、画像を表示する表示領域と、前記表示領域の周辺に位置する周辺領域と、を有し、前記接続工程では、前記カバーパネルと前記周辺領域との間に前記接続部材を配置する、上記（１３）乃至上記（１６）のいずれか１項に記載の表示装置の製造方法。
【符号の説明】
【００６８】
１  表示パネル
１ｄａ  表示領域
１ｆａ  周辺領域
２、１０２  カバーパネル
３、１０３  収容体
４、１０４  接続部材
４ＢＥ、７ＢＥ、１００ＢＥ、２００ＢＥ  下側縁部
４ＬＥ、７ＬＥ、１００ＬＥ、２００ＬＥ  左側縁部
４ＲＥ、７ＲＥ、１００ＲＥ、２００ＲＥ  右側縁部
４ＵＥ、７ＵＥ、１００ＵＥ、２００ＵＥ  上側縁部
５  光学シート
６  導光板
７  支持部材
８  反射シート
９  接着層
１１  第１基板
１２  第２基板
１３  液晶層
１４  シール材
１６、２６、３６  接着剤
２１、１２１  主部
２２、１２２  外周部
２５  遮光部材
３１  底部
３２  壁部
３５、７２  溝部
６５  光源ユニット
７１  掛止部
７６  両面テープ
１００、２００  表示装置
ＤＡ  表示領域
ＦＡ  額縁領域
【図１Ａ】
2019020444.tif 000003
【図１Ｂ】
2019020444.tif 000004
【図１Ｃ】
2019020444.tif 000005
【図２】
2019020444.tif 000006
【図３】
2019020444.tif 000007
【図４】
2019020444.tif 000008
【図５】
2019020444.tif 000009
【図６】
2019020444.tif 000010
【図７】
2019020444.tif 000011
【図８】
2019020444.tif 000012
【図９】
2019020444.tif 000013
【図１０】
2019020444.tif 000014
【図１１】
2019020444.tif 000015
【図１２】
2019020444.tif 000016
【図１３】
2019020444.tif 000017
【図１４】
2019020444.tif 000018
【図１５】
2019020444.tif 000019
【図１６】
2019020444.tif 000020
【図１７】
2019020444.tif 000021
【図１８】
2019020444.tif 000022
【図１９】
2019020444.tif 000023
【図２０】
2019020444.tif 000024
【図２１】
2019020444.tif 000025
【図２２】
2019020444.tif 000026
【図２３】
2019020444.tif 000027
【図２４】
2019020444.tif 000028
【図２５Ａ】
2019020444.tif 000029
【図２５Ｂ】
2019020444.tif 000030
【図２５Ｃ】
2019020444.tif 000031
【図２６】
2019020444.tif 000032